Podtech/llm-jp-corpus-v4-ja_patent huggingface dataset:
(57)【要約】      （修正有）【課題】ロータリーポンプ内に溜まった水の量を確認できる覗き窓を設けることで、底部に溜まった水を抜く作業を効率的に出来る様にしたロータリーポンプを提供する。【解決手段】ロータリーポンプ１に付いている覗き窓を大きくまたは細長くもしくは分割して低部の水の量を確認できるような覗き窓３ｂとする。水抜き作業に当たっては、上記覗き窓３ｂから水の量を確認しながら水抜き作業を行うことにより、無駄に潤滑油を廃出することをなくすことができる。【選択図】図２
0003178736.tif 000002
【実用新案登録請求の範囲】
【請求項１】
本考案は、真空ポンプの一種のロータリーポンプに関するものであり、ロータリーポンプに付いている覗き窓がロータリーポンプ内の油が貯まる場所の底部から油の適量を示す中央部まで確認できる覗き窓である事を特徴とするロータリーポンプ。
【請求項２】
請求項１のロータリーポンプで、その覗き窓の形状が長方形又はその角が丸くなっている形状で、一つ又は複数の覗き窓を有する事を特徴とするロータリーポンプ。
【請求項３】
請求項１のロータリーポンプで、その覗き窓の形状が円形で一つ又は複数の覗き窓を有する事を特徴とするロータリーポンプ
【考案の詳細な説明】
【技術分野】
【０００１】
本考案は、真空ポンプの一種、ロータリーポンプ（油回転ポンプ）に関するものである。
【背景技術】
【０００２】
本考案は、ロータリーポンプに関するものである。
【先行技術文献】
【特許文献】
【０００３】
【特許文献１】実開平６−４３２８９
【特許文献２】特開２００３−６５２６９
【非特許文献】
【０００４】
【非特許文献１】実験物理学講座４  真空技術
【考案の概要】
【考案が解決しようとする課題】
【０００５】
ロータリーポンプが、容器内の排気を行う時、容器に含まれている水蒸気も排気する。水蒸気は、ロータリーポンプ内で加圧され水となりロータリーポンプ内にとどまる場合もある。このロータリーポンプ内に取り込まれた水分はロータリーポンプの排気性能を低下させるので定期的に抜き取る必要がある。ロータリーポンプに取り込まれた水分は、ポンプを止めると比重の差で水と油に分離する。水は下部に溜まるので、ロータリーポンプ底の栓を開いて水を抜く。この時不便なのは水がどの程度ロータリーポンプ内に入っているか見る事が出来ない事である。
【課題を解決するための手段】
【０００６】
上記問題は、ロータリーポンプのオイル確認用覗き窓を大きくするか縦長にするかまたは、ロータリーポンプの底部に新た水確認用窓を設けることによってロータリーポンプの底部で水分量を確認しながら水抜き作業が出来る事によって解決される。
【考案の効果】
【０００７】
本考案の覗き窓を有するロータリーポンプでは、オイルに取り込まれた水がどのくらいあるかすぐわかるので、水抜きが簡単に、効率よくできる。従ってロータリーポンプの排気性能低下を阻止できると同時にポンプ内部の水による腐食防止と油の劣化防止という効果が期待できる。
【図面の簡単な説明】
【０００８】
【図１】ロータリーポンプの断面図と従来の覗き窓の位置を示した図
【図２】ロータリーポンプの断面図と本考案の覗き窓の位置を示した図
【考案を実施するための形態】
【０００９】
ロータリーポンプは、ローターが回転して空気を圧縮して排気する。その気密性と潤滑性を担っているのが油である。この油は、排出される空気の量によっては、空気排出時大気に排出される。従って、油の量は常に確認する必要がある。また、空気圧縮時に水蒸気が液化して水になり、ロータリーポンプ内にとどまる場合がある。この水分は、ロータリーポンプ内の腐食の原因であり、排気性能を阻害するので取り除く必要がある。水の取り除き作業は、現場任せである。ロータリーポンプは停止時には、図1及び図２のように潤滑油が溜まっている。潤滑油の中に水が混入している場合は図の３a（油分）と３ｂ（水）に分離し、水は、底に溜まる。そこで、栓を外して水を抜き油が出てきたらあわてて栓を閉めるという作業を行い、現場は水をぬいている。水抜き時には、少量の油漏れを起こしている。なぜなら、水の量を確認する事が出来ないからである。本考案は、油と水の量を同時に確認できる覗き窓をロータリーポンプに付けることである。本考案の覗き窓により、油漏れを止してロータリーポンプ内の水を抜くことができる。潤滑油の中の水を適時に抜くことでロータリーポンプ性能を維持でき、また潤滑油の節約にもつながる。
【実施例】
【００１０】
本考案の実施例を示す。本考案の実施例は、図２である。ロータリーポンプに油が貯まるポンプ内部の底まで見える覗き窓を取り付けたものである。液が見える部分の寸法は、幅が３cmで高さが１２cmであった。図１の従来の覗き窓は、直径が約7.5cmの覗き窓であった。図２の３bに示された水を覗き窓から見る事が出来るので、水を容易に排出でた。
本考案は、以上のような単純なものであり、様々な応用が可能である。例えば、縦長の形状の代わりに複数の円形、多角形にすることもできる。
【産業上の利用可能性】
【００１１】
本考案は、真空ポンプのロータリーポンプに関するものである。
【符号の説明】
【００１２】
１  ロータリーポンプ
２  ローター
３a  ロータリーポンプ内の油
３b  ロータリーポンプ内に溜まった水
【図１】
0003178736.tif 000003
【図２】
0003178736.tif 000004
(57)【要約】【課題】本考案は、プリント回路板に適用され、きれいで平らなプレスを行うことが可能なプレスシート構造を提供する。【解決手段】表面層と中間層とからなる。表面層は、高温耐久性を備えた層であり、二つの表面層で中間層を挟みこむように被覆する。中間層は、圧力を緩めた時に空気が進入し空気が緩衝となるエアクッション層である。【選択図】図２
0003178762.tif 000002
【実用新案登録請求の範囲】
【請求項１】
表面層と中間層とからなるプレスシート構造であって、
表面層は、高温耐久性を備えた層であり、二つの表面層で中間層を挟みこむように被覆し、
中間層は、圧力を緩めた時に空気が進入し空気が緩衝となるエアクッション層であることを特徴とする、プレスシート構造。
【考案の詳細な説明】
【技術分野】
【０００１】
本考案はプレスシート構造に関し、特にプリント回路板に適用され、きれいで平らなプレスを行うことが可能なプレスシート構造に関する。
【背景技術】
【０００２】
集積回路を実装するためのプリント回路板（Ｐｒｉｎｔｅｄ  Ｃｉｒｃｕｉｔ  Ｂｏａｒｄｓ）は、片面基板、両面基板、多層基板のいずれであったとしても、銅箔回路を、樹脂を含浸させたガラス繊維片にプレスし、固化（Ｃｕｒｉｎｇ）処理を行うことで、電子部品を搭載して回路を連通させる基板となる。
【０００３】
銅箔回路と、樹脂を含浸させたガラス繊維片との両者をプレスし、一体に固化する過程において、プレスは高温で強くプレスを行う。その圧力は、回路板上に均一に分布され、温度の伝導が想定通りに制御されなければならないため、通常は、プレスシートの表面層は、高温耐久性と高圧耐久性を備えるテフロン（Ｔｅｆｌｏｎ）層が採用される。
【０００４】
このプレスシートの表面層はテフロン層であるが、中間核心の緩衝構造は、シリコンを採用し、シリコンの外側にさらに不織布層を被覆する。しかしながら、熱プレスを行うと、たびたび、そのシリコン分子構造が破壊され、不織布層を貫通して大量のシリコンオイルが放出されるため、プリント回路板を汚染するだけでなく、品質異常を引き起こし、製造工程に多くの面倒をもたらすことになる。従来のプレスシートにはこのような欠点があるため、一刻も早く改善する必要性がある。  
【０００５】
図１を参照する。図１は、従来のプレスシート構造を示した概略図である。従来のプレスシート１０は、表面層１１と、内層１２と、核心層１３の三者を組み合わせてなる。核心層１３にはシリコンを採用して緩衝層としているため、高温高圧でプレスされた時に、その分子構造が破壊され、大量のシリコンオイルが放出され、内層１２の不織布被覆層に貫通し、その間にプレスされたプリント回路板を汚染する。このため、品質異常を引き起こすだけでなく、製造工程に大きな面倒が生じるのがその欠点である。
【考案の概要】
【考案が解決しようとする課題】
【０００６】
そこで、本考案は、プリント回路板に適用され、きれいで平らなプレスを行うことが可能なプレスシート構造を提供することを目的とする。
【課題を解決するための手段】
【０００７】
本考案のプレスシート構造は、表面層と中間層とからなる。表面層は、高温耐久性を備えた層であり、二つの表面層で中間層を挟みこむように被覆する。中間層は、圧力を緩めた時に空気が進入し空気が緩衝となるエアクッション層である。
【図面の簡単な説明】
【０００８】
【図１】従来のプレスシート構造を示した概略図である。
【図２】本考案のプレスシート構造を示した概略図である。
【考案を実施するための形態】
【０００９】
本考案のプレスシート構造は、表面層はそのままにし、中間層をエアクッション層にすることで、緩衝效果をもつプレスシートになる。なお、エアクッション層の原理としては、ケブラー（Ｋｅｖｌａｒ）が圧力を解いた後に空気が内側の繊維空気室に進入する性質を利用することで、汚染物質がプリント回路板に滲み出ず、プレス作業の際にきれいで平らな状態を保持することができる。
【００１０】
図２を参照する。図２は、本考案プレスシート構造を示した概略図である。本考案のプレスシート２０は、表面層２１と中間層２２とからなる。表面層２１は、高温耐久性に優れたテフロン（Ｔｅｆｌｏｎ−ポリテトラフルオロエチレン）層を採用し、二つの表面層で中間層２２を被覆する。中間層２２はエアクッション層であり、従来のシリコンの代わりにケブラー（Ｋｅｖｌａｒ−ポリパラフェニレンテレフタルアミド）を採用する。それは、圧力がかかっていない時に空気が進入し、空気で緩衝媒体が形成される。本考案の構造により、プリント回路板のプレスの際、最初から最後まできれいで平らな状態に保持することができるとともに、汚染の心配がない。
【符号の説明】
【００１１】
１０      プレスシート    
１１      表面層    
１２      内層    
１３      核心層
２０      プレスシート    
２１      表面層    
２２      中間層
【図１】
0003178762.tif 000003
【図２】
0003178762.tif 000004
(57)【要約】【課題】本考案は、両端の飼い主とペットの間に十分な前後の緩衝空間を確保することができる大きな伸縮弾性を備えたペットのリード構造を提供する。【解決手段】本考案のペットのリード構造は、一端がペットの首輪に結合できるリードと、リードの他端に設けられた握るための輪部とからなる。リードの中段は、ウェーブ状に折り畳まれるように織られた伸縮弾性段である。【選択図】図１
0003178763.tif 000002
【実用新案登録請求の範囲】
【請求項１】
一端がペットの首輪に結合できるリードと、リードの他端に設けられた握るための輪部とからなるペットのリード構造であって、
リードの中段は、ウェーブ状に折り畳まれるように織られた伸縮弾性段であることを特徴とする、ペットのリード構造。
【請求項２】
伸縮弾性段の両端に配置されたリードは、平織りのゴム紐構造であることを特徴とする、請求項１に記載のペットのリード構造。
【請求項３】
前記輪部は、伸縮弾性段の一端に配置された平織り段を折り返して結合してなることを特徴とする、請求項２に記載のペットのリード構造。
【請求項４】
前記平織り段を折り返してなる輪部は、縫って固定されることを特徴とする、請求項３に記載のペットのリード構造。
【請求項５】
前記平織り段を折り返してなる輪部は、リベットで固定されることを特徴とする、請求項３に記載のペットのリード構造。
【請求項６】
前記輪部が設けられた位置とは反対側の平織り段は、ペット首輪に引っかけられる留め具と結合されることを特徴とする、請求項３に記載のペットのリード構造。
【考案の詳細な説明】
【技術分野】
【０００１】
本考案はペットのリード構造に関し、特に飼い主とペットの間に十分な緩衝空間を確保することができる大きな伸縮弾性を備えたペットのリード構造に関する。
【背景技術】
【０００２】
図１を参照する。図１は、従来のペットのリード構造を示した斜視図である。従来のリード１０は、一般の平織りの紐（或いは、ゴム紐）であり、一端には、ペットの首輪に引っかける留め具１１が設けられ、他端には、飼い主が握るための輪部１２が設けられ、以上の構造により、ペットのリード構造を形成している。
【０００３】
上述した平織り構造のリード１０は、弾性糸を織ってなるゴム紐であるが、平織り構造では、小さい弾性緩衝しか形成できず、ペットと飼い主の間に、十分な前後の緩衝空間を確保することができない。従って、ペットに引っ張られてあちこちにぶつかったり、前後に振り回されたりすることで、飼い主の疲労がたまり、使用していて大変であることが最大の欠点である。
【０００４】
また、台湾実用新案第Ｍ３６５６３９号の「ペットのリード」におけるリード構造では、要約書に以下の記載がある。前記リードは、ゴム材質からなる複数の弾性内紐とカバー部材とからなり、前記カバー部材は前記複数の弾性内紐をしめつけるように被覆し、それにより、ペットのリードは弾性を備えて引っ張って伸ばすことができるだけでなく・・・。
【０００５】
しかしながら、上述の「ペットのリード」のカバー部材で弾性内紐を被覆してなる構造は、前述した弾性糸からなるゴム紐に似ており、小さな弾性緩衝しか形成できず、ペットと飼い主の間に十分な前後の緩衝空間を確保できないのが最大の欠点である。
【先行技術文献】
【特許文献】
【０００６】
【特許文献１】台湾実用新案第Ｍ３６５６３９号明細書
【考案の概要】
【考案が解決しようとする課題】
【０００７】
そこで、本考案は、両端の飼い主とペットの間に十分な前後の緩衝空間を確保することができる大きな伸縮弾性を備えたペットのリード構造を提供することを目的とする。
【課題を解決するための手段】
【０００８】
上述した目的を達成するために、本考案のペットのリード構造は、一端がペットの首輪に結合できるリードと、リードの他端に設けられた握るための輪部とからなる。リードの中段は、ウェーブ状に折り畳まれるように織られた伸縮弾性段である。
【０００９】
前記伸縮弾性段の両端に配置されるリードは、平織りのゴム紐構造である。
【００１０】
前記輪部は、伸縮弾性段の一端に配置された平織り段を折り返して結合してなる。
【００１１】
前記平織り段を折り返してなる輪部は、縫って固定される。
【００１２】
前記平織り段を折り返してなる輪部は、リベットで固定される。
【００１３】
前記輪部が設けられた位置とは反対側の平織り段は、ペット首輪に引っかけられる留め具と結合される。
【図面の簡単な説明】
【００１４】
【図１】従来のペットのリード構造を示した斜視図である。
【図２】本考案の斜視図である。
【図３】本考案の使用実施例を示した説明図である。
【考案を実施するための形態】
【００１５】
図２を参照する。図２は、本考案の分解斜視図である。本考案は、伸縮弾性段２１を備えるリード２０からなり、リード２０の一端には、ペットの首輪を結合させることができる。
【００１６】
リード２０の伸縮弾性段２１は、中段がウェーブ状に折り畳まれるように織られた伸縮弾性構造であり、伸縮弾性段２１の両端のリードは、平織り段のゴム紐構造であり、一端の平織り段は、ペット首輪に引っかけられる留め具２２が結合され、他端の平織り段は、折り返されて縫われて（或いはリベットで固定されて）輪部２３が形成される。
【００１７】
図３を参照する。図３は、本考案の使用実施例を示した説明図である。本考案のリード２０の一端の留め具２２をペット３０の首輪３１に引っかけ、輪部２３を握ると、両端の平織り段のゴム紐構造が伸縮弾性をもつ以外に、図の輪部２３の実線と点線の位置の変化で示しているように、中段がウェーブ状に折り畳まれるように織られた伸縮弾性段２１の大きな伸縮弾性により、使用時に、両端のペットと飼い主の間に、十分な前後の緩衝空間を確保することができ、飼い主が引っ張られて疲れてしまうのを防ぐことができる。このように、本考案は、進歩性を備えている。
【符号の説明】
【００１８】
２０      リード              
２１      伸縮弾性段
２２      留め具              
２３      輪部
３０      ペット              
３１      首輪
【図１】
0003178763.tif 000003
【図２】
0003178763.tif 000004
【図３】
0003178763.tif 000005
(57)【要約】      （修正有）【課題】墓参り時に、線香に火を点けて参列者に配っているが線香が燃えて後列の方に手渡すが後列に手渡す時には線香も短くなってしまう事や線香の炎で熱さに耐えたり線香の炎で手に火傷をしてしまうことを防止する線香保持具を提供する。【解決手段】素手で火の点いた線香を持たず、強風があっても風よけカバー６を着けることにより線香の燃えすぎをなくし、取り出す時には金属の筒二種類１、３を逆さにし、内側に入っている細い金属の筒１を抜き取ると火の点いた線香も逆さになり火は下になり、細い金属を抜き取った事により太い金属の筒３の中に線香は残り火の点いてない方が上になることにより素手で取り出すことが出来、火傷や炎の熱さから逃れることが出来るようにした。【選択図】図１
0003178897.tif 000002
【実用新案登録請求の範囲】
【請求項１】
直径が２５〜３５ｍｍ、長さが１００〜１４０ｍｍの線香束を入れる円筒形の内側金属筒、内径が内側金属筒より大きくて、長さが１００〜１５０ｍｍの外側中空金属筒を被せる構造の線香保持具であって、内側金属筒の外部の少なくとも一部に突起があり、上部に金属金網を設け、金属金網と線香との距離が５〜３０ｍｍである中空金属筒をその突起により保持することを特徴とする線香保持具。
【請求項２】
中空金属筒の上部が下部より外径が大きいことを特徴とする請求項１記載の線香保持具。
【考案の詳細な説明】
【背景技術】
【０００１】
墓参り時に線香での火傷防止の為に、円形の金属の筒を使用したもので、安全に用いることのできる線香保持具に関する。
【考案の概要】
【考案が解決しようとする課題】
【０００２】
墓参時に大勢の方に線香を配る時に、火のついた線香が風で燃えて火傷を負ったり、長時間持っていると火傷を負うのを防止する。
【課題を解決するための手段】
【０００３】
本考案は直径が２５〜３５ｍｍ、長さが１００〜１４０ｍｍの線香束が入る鉄又はステンレスの円筒形の内側金属筒と、内径が内側金属筒より大きくて、鉄又はステンレスの長さが１００〜１５０ｍｍの外側中空金属筒を被せる構造から成る。外側中空金属筒の上部には線香の太さよりも細かな網目の鉄又はステンレスの金網を配し、筒上部には、筒下部より筒を太くし風よけと空気口とした。上部の金属金網と内部に収納する線香と金属金網との距離が５〜３０ｍｍである中空金属筒をその突起により保持することを特徴とする線香保持具とする。さらに太い筒の上から指先が直接触れないように金属筒の周りに指先よりも細かな目の鉄又はステンレスの金網を配してもよい。線香を細い筒に入れて火を点いた線香を上からかぶせる様に太い筒を入れ二種類の金属筒は一体となる構造である。火の点いた線香を取り出す時には、線香保持具を逆さにし内側金属筒を抜き取り出す。火の点いた線香の先は筒の下部と成り、外側中空金属筒の中に残り、素手で取り出すことが可能なものである。
【考案の効果】
【０００４】
本考案に係わる線香保持具は火の点いた線香を素手で持たずに済み火の点いた線香を金属の筒の中に入れ、それをそれよりも太い金属の筒で上部に風よけカバーが着いたものを上からかぶせるようにしたもので、線香が風で燃えたり、炎で火傷をせずに済み、線香の火を消すことなく運搬を容易にする事ができる。
また、火傷の心配や炎の熱さから逃れる事が出来る。
【図面の簡単な説明】
【０００５】
【図１】金属の筒または金属の金網からなる。線香の燃えすぎ、または手の火傷防止をすることが可能な正面図
【図２】金属筒または金属の金網からなる線香の燃えすぎ、又は手の火傷防止をすることが可能な断面図
【図３】金属または金属の金網からなる線香の燃えすぎまたは手の火傷防止をする事が可能な正面図で、やや中央には他の金属筒を上からかぶせるのでストッパーとして凸が有る状態
【図４】金属筒又は金網からなる下方には広がりが有り火の点いた線香が入りやすくする為、上部には細かな目の網目を配し空気口としてその周りには風よけカバーを配しさらに筒全体を手が直接金属筒にさわらないよう指先より細かい目の金網を配し、線香の燃えすぎ又は線香の炎による火傷防止が可能な正面図
【図５】線香を取り出す時の図で逆さになり線香の火は下部になっていて火の点いてない方が取り出し口となり線香の炎による火傷防止可能な正面図
【考案を実施するための形態】
【０００６】
図1に示す如く本考案の実施形態で火の点いた線香を中に入れた金属筒または金網からなる線香の燃えすぎの穂脳による手の火傷防止することが可能な正面図である。
【０００７】
図２に示す如く線香を中にいれて、本考案の実施形態である金属筒または金網からなる線香の燃えすぎ防止、または線香の燃えすぎによる炎による手の火傷防止をすることが可能な断面図である。
【０００８】
図3に示す如く太い金属筒3にはやや中央に凸を配し図４の金属筒を上からかぶせた時の留め口となるように配した図である。
【０００９】
図4に示す如く細い目の金網５には平らな金網を配し空気口としつつの上部は風除けと空気口として下部よりも広く太くしてあり、筒の全体を直接指先が金属の筒に接しない様に金網４を配してある。
【００１０】
図５に示す如く線香を取り出す時の図である図１に示してある金属筒を逆さに持ち替え細い金属筒１を抜き取り出すと図５の如くなり火の点いていない方の線香が上になり取り出し口となる。
【符号の説明】
【００１１】
１  細い金属筒
２  止め口
３  太い金属筒
４  金網
５  細い金属筒
６  防風筒
【図１】
0003178897.tif 000003
【図２】
0003178897.tif 000004
【図３】
0003178897.tif 000005
【図４】
0003178897.tif 000006
【図５】
0003178897.tif 000007
(57)【要約】      （修正有）【課題】線香立ての灰と燃え残り線香の灰を飛散することをできる限り少なくした線香灰篩容器を提供する。【解決手段】篩容器１に灰受け容器４を合わせて、線香立て３に被せて、天地を逆にして振るう物であり、灰受け容器４には取手が付き振るいやすく、灰が硬いのは篩容器１の中の棒で掻き回して燃え残りの線香と灰が全部落とされる、灰を再度灰受け容器４より線香立てに簡単に戻せる。【選択図】図１
0003178807.tif 000002
【実用新案登録請求の範囲】
【請求項１】
灰受け容器と篩容器及び篩容器に被せる蓋とからなる線香灰篩容器において、灰受け容器は、マグカップ状の開口縁に、外側に突き出るような形で円錐壁断片状の小さな注ぎ口を設け、注ぎ口の真反対側の外壁面に取手を設け、篩容器はお椀状に形成され、周壁の上部数センチは外径にほぼ等しく、開口縁は灰受け容器の厚さ分だけ外側に張り出し縁として形成され、周壁は底に向かって斜めに次第に狭まっていき、開口部の半径程の底には網を固定し、更に網上に棒受け台を固定し、そこに複数の立て棒を立てる、この網と棒受け台と立て棒の三点を固定させて、硬くなった灰を掻き回し線香の燃え残り粕は網に残り、灰は灰受け容器に落とせる、蓋は篩容器の張り出し口にピッタリ合うように形成する、このようにそれぞれに形成された灰受け容器と篩容器と蓋とをＩセットとして組合せて使用することを特徴とする線香灰篩容器。
【考案の詳細な説明】
【技術分野】
【０００１】  本考案は、線香立ての、灰と燃え残りの線香を分離するためのものである。
【背景技術】
【０００２】  従来、新聞紙を広げて、ふるいなどで線香立ての灰と燃え残り線香を分離していた。
【先行技術文献】
【特許文献】
【０００３】
【特許文献１】  特開２００６−１７５１８４号  公報
【特許文献２】  登録実用新案第３１２９７０８号  公報
【考案の概要】
【考案が解決しようとする課題】
【０００４】  ふるいで分離するとき、灰が飛び散る、また線香立てに戻すときも灰が飛び手間がかかった。
本考案は、以上の問題点を解決するためになされたものである。
【課題を解決するための手段】
【０００５】  灰受け容器と篩容器及び篩容器に被せる蓋とからなる線香灰篩容器において、灰受け容器はマグカップ状の開口縁に、外側に突き出るような形で円錐壁断片状の小さな注ぎ口を設け、注ぎ口の真反対側の外壁面に取手を設ける。篩容器はお椀状に形成され、周壁の上部数センチは外径が灰受け容器の内経にほぼ等しく、開口縁は灰受け容器の厚さ分だけ外側に張り出して張り出し縁として形成され、周壁は底に向かって斜めに次第に狭まっていき、開口部の半径程の底には網を設けて網を形成する。網上には棒受け台を設けて複数の棒を立てて、硬くなった灰を掻き回して落せる。蓋は篩容器の開口部にピッタリ合うように形成する。このようにそれぞれに形成された灰受け容器と篩容器と蓋とをＩセットとして組み合せできるようにした線香灰篩容器である。
【考案の効果】
【０００６】  本考案のように、線香立ての灰と燃え残り線香の灰を飛散することをできる限り少なくできる。使用しないで置く場合は、篩容器の残りの灰が周囲に飛散しない様に蓋を被せる。灰受け容器に取手があり、線香立てに篩容器と灰受け容器をセットにして被せ、天地を逆にしって線香立てを振るのに、しっかりと合わせ押さえられる。灰が硬くなったりしても篩容器の網上の棒受け台に複数の棒を立てて掻き回わして落せる。また灰受け容器には取手と注ぎ口があり線香立てに戻しやすい。
【図面の簡単な説明】
【０００７】
【図１】  線香立て灰篩容器の断面図
【図２】  蓋の斜視図
【図３】  篩容器の斜視図
【図４】  灰受け容器の斜視図
【図５】  篩容器と網状態の棒受け台との関係図の斜視図
【考案を実施するための形態】
【０００８】  以下、本考案の実施の形態を説明する。
灰受け容器（４）と篩容器（１）及び篩容器（１）に被せる蓋（２）とからなる線香灰篩容器において、灰受け容器（４）はマグカップ状の開口縁に、外側に突き出るような形で円錐壁状の小さな注ぎ口（８）を設け、注ぎ口（８）の真反対側の外壁面に取手（９）を設ける、篩容器（１）はお椀状に形成され、周壁（７）の上部数センチは外径にほぼ等しく、開口縁は灰受け容器（４）の厚さ分だけ外側に張り出し、縁として形成され周壁（７）は底に向かって斜面に次第に狭まっていき、開口部の半径程の底には網（５）を固定し、網上に棒受け台（１３）を固定し、そこに複数の立て棒（１２）を立てる、この網（５）と棒受け台（１３）と立て棒（１２）の三点を固定させて、硬くなった灰（１０）を掻き回して粕（６）は網（５）に残り、灰（１０）は灰受け容器（４）に落とせる、蓋（２）は篩容器（１）の張り出し口（１１）に、ピッタリ合うように形成する、このようにそれぞれに形成された灰受け容器（４）と篩容器（１）と蓋（２）とを１セットとして組合せて使用する。
本考案は、以上のような構成であるが、以下、具体的な実施例を説明する。
【実施例】
【０００９】  以下、添付図面に従って実施例を説明する。【００１０】  本考案は、以上のような構造であるので、本考案の線香立て（３）の燃え残り線香の掃除をするときは、蓋（２）を取外し篩容器（１）と灰受け容器（４）を合わせ線香立て（３）に被せて、天地を逆にして取手（１０）をしっかり握り締めて線香立て（３）も上からしつかりと押さえて安心して振るう事ができ灰受け容器（４）に灰（１０）が溜まる。溜まった灰を戻すのには灰受け容器（４）の注ぎ口（８）があり線香立て（３）に戻しやすい、燃え残り線香の粕（６）は篩容器の網（５）に溜まる。線香立てに溜まった灰（１０）が硬くなっても落せる様に篩容器（７）の網（５）に棒受け台（１３）を設けて、複数の立て棒（１２）を立てて、三点を固定させて掻き回せる。篩容器（１）は線香立て（３）の口元のサイズに合わせられるように、市販されている色々な大きさに合わせられ、周壁（７）の上部枠から斜めに少しずつ底面に狭くしてあり、今ある線香立て（３）が使える大きさに合わせられる位置に設置される。篩容器（１）と灰受け容器（４）と蓋（２）を造る材料は金属、陶器、瀬戸物、硝子、プラスチック、樹脂などで造ることができる。
【符号の説明】
【００１１】（１）  篩容器
（２）  蓋
（３）  線香立て
（４）  灰受け容器
（５）  網
（６）  粕
（７）  周壁
（８）  注ぎ口
（９）  取手
（１０）  灰
（１１）  張り出し口
（１２）  立て棒
（１３）  棒受け台
【図１】
0003178807.tif 000003
【図２】
0003178807.tif 000004
【図３】
0003178807.tif 000005
【図４】
0003178807.tif 000006
【図５】
0003178807.tif 000007
(57)【要約】      （修正有）【課題】簡単な構成で、低コストの猿対策用防護ネット装置を提供する。【解決手段】金網を高さ１５０〜１７０ｃｍの高さに張り、金網の上部の針金４をらせん状に加工し、直径３０ｃｍ程度の連続した針金の輪５とする。次に、針金の輪５の下方にヒラヒラするように４０〜６０ｃｍ目のポリエチレン等の材質の網６を垂下する。【選択図】図２
0003178803.tif 000002
【実用新案登録請求の範囲】
【請求項１】
所定の長さ及び高さに金網を張り、該金網の上部に所定の直径の輪を長さ方向にらせん状に連続して形成し、さらに該連続した前記輪に対して下部に垂れ下がるように軟質材料で形成した紐状の網を取付けたことを特徴とする猿対策用防護ネット装置。
【請求項２】
前記金網の所定の長さは、約３〜４ｍ、前記金網の所定の高さは、約１５０〜１７０ｃｍであることを特徴とする請求項１に記載の猿対策用防護ネット装置。
【請求項３】
幅方向に連続したらせん状の前記輪の直径は、約３０ｃｍであることを特徴とする請求項１又は請求項２のいずれかに記載された猿対策用防護ネット装置。
【請求項４】
紐状の網の前記軟質材料は、ポリエチレン等の合成樹脂材料であることを特徴とする請求項１に記載の猿対策用防護ネット装置。
【請求項５】
前記紐状の網の長さは、約４０〜６０ｃｍであることを特徴とする請求項１に記載の猿対策用防護ネット装置。
【考案の詳細な説明】
【技術分野】
【０００１】  本考案は、猿等の侵入を防止する猿対策用防護ネット装置に関するものである。
【背景技術】
【０００２】  猿等対策用の防獣ネットは、側面天井部の全面にネットを張るか側面の上部を導電ネットで張り巡らすようなものがあった。
また、例えば特許文献１に記載されたものは、柵本体の上端に沿って横長に上端部材を軸回りに回転可能に設け、猿が乗り越えようと上端部材を握ると、この上端部材が回転するので、乗り越えることができないようにしたものである。
特許文献２に記載されたものは、柵本体の上端に、猿の手指に痛覚刺激を与え得る多数の刺を柵本体の長さ方向に連続して設けたものである。
特許文献３に記載されたものは、ネット素材に、プラス・マイナス導電ネット素材を交互に配置して防獣ネットを編成したものである。
特許文献４に記載されたものは、猿等の獣が防獣ネットの存在を攪乱するような着色を防獣ネットに施したものである。
特許文献５に記載されたものは、特許文献２に記載されたものと同様に、上端の細長い長尺物に突起状の釘を並置したものである。
【先行技術文献】
【特許文献】
【０００３】
【特許文献１】特開平５−２９２８６４公報
【特許文献２】特開平８−２９４３４８公報
【特許文献３】特開２００６−２１１９５６公報
【特許文献４】特開２００８−３０７００９公報
【特許文献５】特開２００９−２４０２９５公報
【考案の概要】
【考案が解決しようとする課題】
【０００４】  上記特許文献１〜５に記載された従来のものは、全面をネットで張るか、導電ネットを張るか、上端に尖った刺激物を設置するなどをするものが多く、かかる場合には設置費が多額となり、将来のメンテナンスコストも馬鹿にならない。また、特に森体内等で栽培する、きのこ等への猿等の侵入の被害を防止しようとするものは存在しなかった。
【課題を解決するための手段】
【０００５】  本考案は、上記の課題を解決するためになされたもので、防謹壁の上部の針金の輸にポエチレン等の網を巻きつけるようにしたため、猿等が侵入するには猿が体をのけ反らせ網を越えなければならず、その場合に猿の手足がポリエチレン等の網に絡まって侵入できなくなるように構成したものである。
【考案の効果】
【０００６】  針金等の輸に張ってあるホリエチレン等の網を越えるには、猿等が体をのけ反らせる必要があり、その際に手足が絡まってしまい侵入できないため、農作物等の被害を防止することができる。
【図面の簡単な説明】
【０００７】
【図１】本考案の猿対策用防護ネット装置の外観斜視図である。
【図２】上記の要部を拡大した外観斜視図である。
【符号の説明】１  支住の鉄筋
２  金網
３  下部の鉄筋
４  上部の針金
５  針金の輪
６  ポリエチレン等の網
７  針金の結束
８  金網の結束
【考案を実施するための形態】
【０００８】  防護壁の下部は、基礎の鉄筋にいわゆる防謹壁の網を隙間のないように結びつける。
高さ１５０〜１７０ｃｍの上部は、直径約３０ｃｍ程の針金の輸をらせん状に連続させ、その輸にポリエチレン等の材質で４０〜６０ｍｍ目の網を張り、ヒラヒラするように緩ませておく。
このようにすることにより、猿等がいわゆる防護壁を越えようとすると、体をのけ反らせる必要があり、その時、この網が手足に絡まって猿等が侵入できなくなり、有効な防獣効果を達成することができる。
本考案は、以上のように農作物や果樹森林内栽培の原木きのこ等を猿等の野獣から効果的に守ることができ、比較的に簡単な構成でコストが嵩まず、極めて有効か現実的な防獣対策を施すことが可能となる。
【図１】
0003178803.tif 000003
【図２】
0003178803.tif 000004
(57)【要約】      （修正有）【課題】布団類カバーにおける布団類出し入れ用開口部の閉じ合わせ部材を無くし、また布団類カバーの交換作業を容易にした布団類カバーを提供する。【解決手段】布団類カバーの表側の長手方向の中央部位に表側地の端面を上下に重ね合わせた布団類の出し入れ用開口部２を設け、布団類カバーに布団類を入れて使用する際に開口部を狭めることにより開口部が開きにくくするためため、また収容物の出し入れの際に出し入れを容易にするための開口部の両端が漏斗状となる斜めの縫合部３ａ、３ｂで構成されたものである。【選択図】図１
0003178804.tif 000002
【実用新案登録請求の範囲】
【請求項１】
布団類の出し入れ用開閉部の両端に収容物の出し入れを容易にするための漏斗状となる斜めの縫合部を有していることを特徴とする布団類カバー
【考案の詳細な説明】
【技術分野】
【０００１】  布団類の出し入れ用開閉部の両端に収容物の出し入れを容易にするための漏斗状となる斜めの縫合部を有していることを特徴とする布団類カバーに関するものである。
【背景技術】
【０００２】  従来布団類カバーの業務用クリーニングにおける乾燥シワ取り機であるロールアイロナーの高温度特性や、布団カバーを送り込む狭い隙間、シワ取りのための加圧等の条件下では、業務用クリーニングをすることができる布団類カバーの開口部を閉じ合せる部材には制約があり、布団類カバーの開口部には、開口部を閉じ合わせるために対となる布製の紐が縫着されていた。【０００３】  布団類カバーを使用する際、布団類カバーの布団類出し入れ用開口部から布団類を入れて開口部を閉じ合わせるために開口部に対となるように縫着された布紐を解く際に簡便な蝶結びで結び合わせていた。
【考案が解決しようとする課題】
【０００４】  布団類カバーに布団類を入れて睡眠に使用している際に、寝返り等で動かされた布団類出し入れ用開口部が他の物品や睡眠者の身体等に触れ、閉じ合わすために結ばれた布紐の蝶結びの輪差が解けて固結びとなることがあった。また、布団類カバーに布団類を入れて開口部を閉じ合せる際に、誤って固結びのまま使用実施することもあり、固結びとなった結び目は解くのが難しく布団類の入れ替え作業に支障をきたすことがあった。さらに、固結びに結ばれたまま開口部の隙間から布団類を取り出して業務用クリーニングで処理をされた布団類カバーは、ロールアイロナーにより布紐や布紐縫着部位の損壊が発生していた。
【０００５】  本考案は上記問題点を解決しさらに収容物の出し入れ作業を短時間で容易に行えるようにすることを目的とするものである。
【課題を解決するための手段】
【０００６】  上記目的を解決するため、本考案は、布団類カバーの表側の長手方向の中央部位に表側地の端面を上下に重ね合わせた布団類の出し入れ用開口部を設け、布団類カバーに布団類を入れて使用する際に開口部を狭めることにより開口部が開きにくくするためため、また収容物の出し入れの際に出し入れを容易にするための開口部の両端が漏斗状となる斜めの縫合部で構成されたものである。
【考案の効果】
【０００７】  本考案は、上述の如く構成したので、布団類カバーが業務用クリーニングで容易にクリーニングを行うことができる効果が存する。また、閉じ合わせるための布紐等の部材が無いために収容物の出し入れ作業を短時間で容易に行える効果が存する。
【考案を実施するための最良の形態】
【０００８】本考案は、布団類カバーの表側の長手方向の中央部位に表側地の端面を上下に重ね合わせた布団類の出し入れ用開口部を設け、開口部の両端が斜めに縫合されている。
【実施例】
【０００９】  以下に本考案の構成を添付図面に示す実施例を参照して詳細に説明する。【００１０】  １は布団類カバー本体であり、２の布団類出し入れ用開口部の両端が３ａ、３ｂのように斜めに縫合されている。（図１）【００１１】  布団類カバーの布団類出し入れ用開口部（図１の２）から布団類を入れ、布団類カバー内部の四辺や四隅に布団類を平延べにし、布団類カバーの布団類出し入れ用開口部を閉じ合わせる。
【産業上の利用可能性】
【００１２】  本考案は、業務用クリーニングにおいて布団カバーの破損を極めて少なくすることができる可能性を存する。【００１３】本考案は、布団カバーの交換作業が簡単に短時間で行なえる可能性を存する。
【図面の簡単な説明】
【００１４】
【図１】本考案の平面外観図である。
【図２】本考案の底部外観図である。
【図３】布団類の一片を布団出し入れ用開口部から挿入する
【図４】布団類の他片を反対方向へ挿入する。
【図５】布団類を布団カバーの四隅に平延べする。
【符号の説明】
【００１５】１…布団類カバー本体
２…布団類出し入れ用開口部
３ａ…斜めの縫合部
３ｂ…斜めの縫合部
４…布団類本体
【図１】
0003178804.tif 000003
【図２】
0003178804.tif 000004
【図３】
0003178804.tif 000005
【図４】
0003178804.tif 000006
【図５】
0003178804.tif 000007
(57)【要約】      （修正有）【課題】靴べらを置いてない所でも靴べらを使える様に、靴べら部分を有したインソールを提供する。【解決手段】靴べら付インソールは、インソール部分１と靴べら部分２で構成される。インソールの長さ調整は、靴べら部分の先端側とインソール部分の先端側を切る、もしくはどちらか一方を切ることで行う。次に、長さ調整したインソールを、靴べら部分を曲げ立てた状態にして靴の中へ装着する。第一の装着方法の形態は、インソールをそのまま靴の中へ装着する。第二の装着方法の形態は、インソールを別のインソールに貼り付けてから、靴の中へ装着する形態である。いずれの場合も靴べら部分の先端側８が靴の履き口から外へ、少し上に突き出るようにする。【選択図】図１
0003178809.tif 000002
【実用新案登録請求の範囲】
【請求項１】
靴べら部分のある、インソール。
【考案の詳細な説明】
【技術分野】
【０００１】  この考案は、靴べら部分（２）のある、インソールである。
【背景技術】
【０００２】  踵を押し込む必要のある形状の靴を履く時、靴べら等を使って靴を履くと良いといわれる。これは、靴の履き口周りを傷めないようにする為である。しかし、靴べらが用意されている場所は少ない。そして、携帯型の靴べらは、持ち忘れ易い。つまり、靴を履く時に靴べらが無いときが多かった。そのため、靴べらを使わずに靴を履くときが多くなり、靴の履き口周りを傷めやすかった。
【先行技術文献】
【特許文献】
【非特許文献】
【考案の概要】
【考案が解決しようとする課題】
【０００３】  靴べらが用意されている場所は少ない。そして、携帯型の靴べらは、持ち忘れ易い。そのため、靴を履く時に靴べらが無いときが多かった。靴べらを使わずに靴を履くと、靴の履き口周りを傷めやすい。そこで、靴べらが常に有る状態にしたいと考えた。本案は、この課題を解決しようとするものである。
【課題を解決するための手段】
【０００４】  本案は、インソール部分（１）と靴べら部分（２）が一体となっているインソールである。本案のインソールを靴の中に装着しておけば、本案のインソールを装着した靴は、靴べらが常に有る状態の靴となる。
【考案の効果】
【０００５】  本案のインソールを装着した靴は、靴べらが常に有る状態の靴となる。これにより、本案のインソールを装着した靴を使用しているときは、靴べら等を探す必要がなく、携帯型の靴べらを持ち歩く必要も無い。本案のインソールを装着した靴を履く時は、靴べら部分を使って履くことになる。そのため、靴の履き口周りを傷めにくい。
【考案を実施するための形態】
【０００６】  まず、使用する靴に合うように、本案のインソールの長さ調整を行う。本案のインソールの長さ調整は、靴べら部分の先端側とインソール部分の先端側を切る、もしくはどちらか一方を切ることで行う。次に、長さ調整した本案のインソールを、靴べら部分を曲げ立てた状態にして靴の中へ装着する。しかし、靴への装着方法の形態は二通り考えられる。第一の装着方法の形態は、本案のインソールをそのまま靴の中へ装着する形態である。第二の装着方法の形態は、本案のインソールを別のインソール（６）に貼り付けてから、靴の中へ装着する形態である。本案のインソールを靴の中へ装着するときにおける共通形態は、靴べら部分の先端側（８）が靴の履き口から外へ、少し上に突き出るようにすることである。これは、靴べら部分の先端側（８）を持ち手部分にするためである。靴を履くときは、靴べら部分の先端側（８）を手で摘まみ上げながら靴の中に足を入れ、靴べら部分（２）に踵を滑らせて押し込む。
【実施例】図３、図４、図５、図６。
【図面の簡単な説明】
【図１】本案の構成と構造を示した断面図である。靴べら部分（２）については（７）が（８）の状態になるように曲げるとする。または、（７）が（８）の状態になるように曲げたものや曲がっているものとする。
【図２】本案を実施するときの、製品形態の一例を示した平面図である。
【図３】本案を実施するときの、使用状態の一例を示した断面図である。この図は、本案のインソールを別のインソール（６）へ貼り付ける形態を示した図である。貼り付けは両面粘着テープ等を用いると良い。但し、貼り付け方法は他にも考えられる。
【図４】本案を実施するときの、使用状態の一例を示した断面図である。この図は、本案のインソールを別のインソール（６）へ貼り付ける形態を示した図である。この図での本案のインソールは、インソール部分（１）の長さが短いタイプを示した図である。貼り付けの形態は、二通り考えられる。貼り付け先の別のインソール（６）に対して、本案のインソールを上にするもしくは下にする。貼り付けは両面粘着テープ等を用いると良い。但し、貼り付け方法は他にも考えられる。
【図５】本案を実施するときの、使用状態の一例を示した断面図である。この図は、本案のインソールのみを用いる形態を示した図である。
【図６】本案を実施するときの、使用状態の一例を示した断面図である。この図は、本案のインソールのみを用いる形態を示した図である。この図での本案のインソールは、インソール部分（１）の長さが短いタイプを示した図である。この場合は、本案のインソールを靴（３）に固定するために、両面粘着テープ等を用いる必要がある。
【符号の説明】１  インソール部分
２  靴べら部分
３  靴
４  靴底
５  靴の中の空間
６  別のインソール
７  靴べら部分の先端側（曲げる前の状態）
８  靴べら部分の先端側（曲げた後の状態、または、曲がっている状態）
９  インソール部分の先端側
【図１】
0003178809.tif 000003
【図２】
0003178809.tif 000004
【図３】
0003178809.tif 000005
【図４】
0003178809.tif 000006
【図５】
0003178809.tif 000007
【図６】
0003178809.tif 000008
(57)【要約】      （修正有）【課題】水や埃が枠内に留まり難く、使用荷重に対しての強度を持ち、輸送時に変形しにくい、吊り式物干し具を提供する。【解決手段】枠体１とこの枠体１に複数個吊り下げて設けたピンチ２とを備える。枠体１が水平平面を持たず、重力方向に傾斜部をつけた構造をもつと共に、回動支点３に近づくにつれ、垂直方向に広がっていく形状を持ち、枠体１の回動支点３付近が２本以上の枠線を持つ。また枠体１の四方に、合わせ面２２を持つ。【選択図】図４
0003178802.tif 000002
【実用新案登録請求の範囲】
【請求項１】
枠体とこの枠体に複数個吊り下げて設けたピンチとを備えた、折りたたみ式物干し具であって、前記枠体が水平平面を持たず、重力方向に傾斜をつけた構造を特徴とする物干し具。
【請求項２】
枠体とこの枠体に複数個吊り下げて設けたピンチとを備えた、折りたたみ式物干し具であって、前記枠体が回動支点に近づくにつれ、垂直方向に広がっていく形状を特徴とする物干し具。
【請求項３】
枠体とこの枠体に複数個吊り下げて設けたピンチとを備えた、折りたたみ式物干し具であって、前記枠体が枠体の回動支点付近で、２本以上の枠線を持つ事を特徴とする請求項１または２に記載の物干し具。
【請求項４】
枠体とこの枠体に複数個吊り下げて設けたピンチとを備えた、折りたたみ式物干し具であって、また前記枠体の四方に、折りたたんだ状態でむかい合わせになる面を持つことを特徴とする請求項１〜３記載の物干し具。
【考案の詳細な説明】
【技術分野】
【０００１】本考案は、複数個のピンチにより干し物を挟んで吊り下げる枠体と支柱を持つ折りたたみ式物干し具に関するものである。
【背景技術】
【０００２】図１及び図２において、従来の物干し具の枠体１であり、下部に複数個のピンチ２が吊り下げられている。【０００３】また回動支点３を備えているため、折りたたむことができる。【０００４】上述した従来の物干し具には、次のような問題があった。【０００５】ピンチ２により洗濯物を挟んで吊り下げられると、洗濯物の荷重で枠体１が撓み、回動支点３付近に応力が集中し、塑性変形する場合があった。【０００６】また枠体１に図３のように各部に平面部１０がある事により、物干し具を屋外に放置した場合、平面部１０に雨水や埃がたまる場合があった。【０００７】また輸送時などの物干し具を折りたたんだ状態で荷重がかかると、ハンガーが変形し、枠体１内に入り込み、破損に至る場合があった。
【考案の概要】
【考案が解決しようとする課題】
【０００８】本考案の目的は、以上のような問題点を解決し、ハンガーの破損を抑え、雨や埃を落ちやすくすることができる物干し具を提供することにある。
【課題を解決するための手段】
【０００９】上記目的を達成するために本考案の物干し具は、枠体１とこの枠体１に複数個吊り下げて設けたピンチ２とを備えた、折りたたみ式物干し具であって、前記枠体１が水平平面を持たず、面に傾斜部４０をつけると共に、回動支柱３に近づくにつれ、垂直方向に広がっていく形状を持ち、枠体１の回動支点３付近が２本以上の枠線３２を持つ事を特徴とする。【００１０】また前記枠体１の四方に、合わせ面２２を持つことを特徴とする。
【考案の効果】
【００１１】本考案は上記の構成としたので、次のような作用効果がある。【００１２】前記枠体１が回動支点３に近づくにつれ、垂直方向に広がっていく形状を持ち、枠体１の回動支点３が２本以上の枠線３２を持つ事により、応力を分散させ、変形を抑える効果がある。【００１３】また枠体１が水平平面を持たず、重力方向に傾斜部４０をつける事により、雨水や埃が枠体上に留まらず、重力により落下する効果がある。【００１４】したがって、本考案の物干し具によれば、ハンガーの破損を抑え、雨や埃を落ちやすくすることができる物干し具を提供することができる。【００１５】また枠体１の四方に、合わせ面２２を持つことにより、折りたたんだ状態で、合わせ面２２を超えて枠体１が入り込む事が無いため、輸送時など側面からの荷重に対して変形を抑える効果がある。
【考案を実施するための形態】
【００１６】図４において、これら枠体１、回動支点３、フック部材２０、連結部材２１、ピンチ部２はポリプロピレン等の材料で一体的に形成されている。
【００１７】図６において、枠体１は一対の枠３０，３１からなり、これら一対の枠３０，３１を回動自在に連結してある。
【００１８】これにより、一対の枠３０，３１は回動支点３を中心として回動し、コンパクトに折り畳めるようになっている。
【００１９】枠体１は外周から回動支点３に近づくにつれ、図６に示すように垂直方向に広がっている。
【００２０】枠体１は図７に示すように使用状態ですべての面が水平では無く、重力方向に傾斜部４０がつけられている。
【００２１】枠体１は図５に示すように回動支点３に近い部分に、２本の枠線３２を持つ。
【００２２】枠体１は４方に合わせ面２２を持ち、折りたたんだ状態で回動支点３を軸として、対辺上の面が合わさるようになっている。
【００２３】合わせ面２２により、折りたたんだ状態で外圧が加わった場合でも、枠体１が合わせ面２２以上に入り込むのを防ぐ。
【００２４】以上本考案の一実施例について説明したが、本考案は上記実施例に限定されるものではなく、適宜変形実施可能である。
【００２５】例えば、上記実施例では、枠体１は、樹脂部材で構成したが、金属の部材で構成したものでもよい。
【００２６】また枠線３２は２本以上であってもよく、枠体１は、実施例のサイズに限定されるものではない。
【図面の簡単な説明】
【００２７】
【図１】  従来の物干し具の平面図である。
【図２】  従来の物干し具の側面図である。
【図３】  従来の物干し具の断面図である。
【図４】  本考案に係る物干し具の一実施例を示す斜視図である。
【図５】  本考案に係る物干し具の一実施例を示す平面図である。
【図６】  本考案に係る物干し具の一実施例を示す側面図である。
【図７】  本考案に係る物干し具の一実施例を示す要素拡大断面図である。
【符号の説明】
【００２８】  １        枠体
２        ピンチ
３        回動支点
１０        平面部
２０        フック部材
２１        連結部材
２２        合わせ面
３０，３１  一対の枠
３２        枠線
４０        傾斜部
【図１】
0003178802.tif 000003
【図２】
0003178802.tif 000004
【図３】
0003178802.tif 000005
【図４】
0003178802.tif 000006
【図５】
0003178802.tif 000007
【図６】
0003178802.tif 000008
【図７】
0003178802.tif 000009
(57)【要約】      （修正有）【課題】新聞紙の迅速、簡単なページめくりができるページめくり機構を提供する。【解決手段】新聞紙の適切な位置に半月型またはその類似型の切り込みを作り、その切断面を垂直もしくは斜めにカットし、これを１箇所以上設ける。【選択図】図１
0003178806.tif 000002
【実用新案登録請求の範囲】
【請求項１】
新聞紙の適切な位置に半月型またはその類似型の切り込みを作り、その切断面を垂直もしくは斜めにカットしてこれを１箇所以上設けることを特徴とするページめくり機構。
【考案の詳細な説明】
【技術分野】
【０００１】この考案は新聞紙のページめくりに関するものである。
【背景技術】
【０００２】めくりにくい新聞紙のページを簡単な工作と簡単な動作をもって、容易に目的を果たせるよう開発をしたい。
【考案の開示】
【考案が解決しようとする課題】
【０００３】安価にして簡単な製作加工と、同じく簡単な動作で迅速に新聞紙のページをめくりたい。
【課題を解決するための手段】
【０００４】新聞紙の適切な位置に１箇所以上の半月型またはその類似型の切り込みを作り、切断面を垂直もしくは斜めにカットする。
斜めのカットであれば紙面のずれを利用できるため、めくるためには理想的である。
【考案の効果】
【０００５】指が半月型、またはその類似型の切断面にフィットすることから紙面を捕まえやすく、それゆえにめくりやすい状況が発生する。
【考案を実施するための最良の形態】
【０００６】小さすぎず大きすぎない、且つ指の大きさを考慮して定めた寸法の半月型またはその類似型の切り込みでありたい。
【実施例】
【０００７】縦寸法  １５ミリ、横寸法  ８ミリ程度の半月型、またはその類似型の切り込みが望ましい。
【産業上の利用可能性】
【０００８】迅速にして簡単な使用動作が期待でき、且つ製作は安価である。
【図面の簡単な説明】
【０００９】
【図１】正面図
【符号の説明】１  新聞紙          ２  切り込み
【図１】
0003178806.tif 000003